(57)【特許請求の範囲】
【請求項１】
シャッターカーテンを収容するシャッター収納部を建物の壁面に対して取り付けるための取付構造であって、
前記シャッター収納部の側部のうち、前記建物の壁面側に位置する壁面側部の上端側に設けられた被引掛手段と、
前記建物の壁面に設けられた引掛手段であって、前記被引掛手段を引掛けるための引掛手段と、を備え、
前記被引掛手段は、前記建物の壁面側とは反対側に向けて突出する突出部を備え、
前記引掛手段は、前記突出部に形成された差込孔に対して当該差込孔の上方から下方に向けて差し込まれることにより、前記被引掛手段を当該引掛手段に引掛けることが可能な差込部を備え、
前記突出部又は前記差込部の少なくともいずれか一方は、
前記差込部の変形を抑制するための変形抑制手段を備え、
前記変形抑制手段により、前記差込部が前記差込孔に差し込まれている差込状態において前記シャッター収納部の周辺で火災が発生した場合に、当該変形抑制手段と前記突出部又は当該差込部のいずれか他方とが当接することで、前記壁面側部が前記建物の壁面側とは反対側に向けて傾斜するように当該差込部が前記火災の熱によって変形することを抑制可能とした、
シャッター収納部の取付構造。
【請求項２】
前記変形抑制手段を、前記突出部のうち前記差込孔よりも当該突出部の先端部側において下方に向けて張り出すように設けた、
請求項１に記載のシャッター収納部の取付構造。
【請求項３】
前記変形抑制手段の先端部が当該変形抑制手段の基部よりも前記建物の壁面側に位置するように、当該変形抑制手段を傾斜させた、
請求項２に記載のシャッター収納部の取付構造。
【請求項４】
前記変形抑制手段は、
前記突出部に設けられた第１変形抑制手段と、
前記差込部に設けられた第２変形抑制手段と、を備え、
前記第１変形抑制手段を、前記突出部のうち前記差込孔よりも当該突出部の先端部側に設け、
前記差込状態において前記火災が発生した場合に前記第２変形抑制手段が前記第１変形抑制手段と当接するように、当該第２変形抑制手段を、前記差込部のうち前記差込孔に挿通される挿通部分から上方に向けて張り出すように設けた、
請求項１に記載のシャッター収納部の取付構造。
【発明の詳細な説明】
【技術分野】
【０００１】
本発明は、シャッター収納部の取付構造に関する。
【背景技術】
【０００２】
従来、建物の開口部に取り付けられるシャッターを収納するシャッターケースを建物の壁面に対して取り付けるための取付構造が提案されている。この取付構造においては、例えば、建物の壁面に固定された引掛金具を介してシャッターケースの取り付けが行われる。この引掛金具は、当該引掛金具の上端部において下方から上方に向けて突出した引掛部分と、当該引掛金具の下端部に設けられた支持部分とを備えている。そして、シャッターケースに形成された開口に対して当該開口の下方から上方に向けて引掛金具の引掛部分を差し込むと共に、引掛金具の支持部分にシャッターケースを載置することにより、シャッターケースが建物の壁面に対して取り付けられている（例えば、特許文献１参照）。
【０００３】
しかしながら、上記特許文献１に記載の従来の取付構造においては、引掛金具の引掛部分をシャッターケースの開口に差し込むために、シャッターケースを引掛金具の引掛部分よりも上方位置に持ち上げなければならないので、シャッターケースを持ち上げるためのクリアランスを確保する必要があった。そこで、このような問題を解消する技術として、上記クリアランスを省略することが可能な取付構造が提案されている（例えば、特許文献２参照）。この取付構造においては、例えば、建物の壁面に固定された引掛金具が、当該引掛金具の上端部に設けられた引掛部分であって、上方から下方に向けて突出した引掛部分と、当該引掛金具の下端部に設けられた支持部分とを備えている。そして、シャッターケースに形成された開口に対して当該開口の上方から下方に向けて引掛金具の引掛部分を差し込むと共に、引掛金具の支持部分にシャッターケースを載置することにより、シャッターケースが建物の壁面に対して取り付けられている。
【先行技術文献】
【特許文献】
【０００４】
【特許文献１】特開２０１５−７１９３６号公報
【特許文献２】特開２０１２−２６１００号公報
【発明の概要】
【発明が解決しようとする課題】
【０００５】
しかしながら、上記特許文献２に記載の従来の取付構造においては、シャッターケースの周辺で火災が発生した場合に、引掛金具が火災の熱によって変形しやすくなることから、シャッターケースの自重により、引掛金具における引掛部分の先端部が建物の壁面から離れるように引掛部分が変形することに伴って、シャッターケースが建物の壁面側とは反対側に向けて傾斜しやすくなることが想定される。これにより、例えば、シャッターケースと建物の壁面との相互間に生じた隙間を介して火炎等が流入又は流出したり、又は、当該隙間の大きさが、地上にいる人が建物の屋内側からシャッターケース側を見たときに当該隙間を確認できる程度の大きさ（いわゆる「炉内貫通」が生じる程度の大きさ）になる可能性があった。
【０００６】
本発明は、上記従来技術における課題を解決するためのものであって、シャッターケースの如きシャッター収納部が建物の壁面側とは反対側に向けて傾斜することを抑制することが可能になる、シャッター収納部の取付構造を提供することを目的とする。
【課題を解決するための手段】
【０００７】
上述した課題を解決し、目的を達成するために、請求項１に記載のシャッター収納部の取付構造は、シャッターカーテンを収容するシャッター収納部を建物の壁面に対して取り付けるための取付構造であって、前記シャッター収納部の側部のうち、前記建物の壁面側に位置する壁面側部の上端側に設けられた被引掛手段と、前記建物の壁面に設けられた引掛手段であって、前記被引掛手段を引掛けるための引掛手段と、を備え、前記被引掛手段は、前記建物の壁面側とは反対側に向けて突出する突出部を備え、前記引掛手段は、前記突出部に形成された差込孔に対して当該差込孔の上方から下方に向けて差し込まれることにより、前記被引掛手段を当該引掛手段に引掛けることが可能な差込部を備え、前記突出部又は前記差込部の少なくともいずれか一方は、前記差込部の変形を抑制するための変形抑制手段を備え、前記変形抑制手段により、前記差込部が前記差込孔に差し込まれている差込状態において前記シャッター収納部の周辺で火災が発生した場合に、当該変形抑制手段と前記突出部又は当該差込部のいずれか他方とが当接することで、前記壁面側部が前記建物の壁面側とは反対側に向けて傾斜するように当該差込部が前記火災の熱によって変形することを抑制可能とした。
【０００８】
請求項２に記載のシャッター収納部の取付構造は、請求項１に記載のシャッター収納部の取付構造において、前記変形抑制手段を、前記突出部のうち前記差込孔よりも当該突出部の先端部側において下方に向けて張り出すように設けた。
【０００９】
請求項３に記載のシャッター収納部の取付構造は、請求項２に記載のシャッター収納部の取付構造において、前記変形抑制手段の先端部が当該変形抑制手段の基部よりも前記建物の壁面側に位置するように、当該変形抑制手段を傾斜させた。
【００１０】
請求項４に記載のシャッター収納部の取付構造は、請求項１に記載のシャッター収納部の取付構造において、前記変形抑制手段は、前記突出部に設けられた第１変形抑制手段と、前記差込部に設けられた第２変形抑制手段と、を備え、前記第１変形抑制手段を、前記突出部のうち前記差込孔よりも当該突出部の先端部側に設け、前記差込状態において前記火災が発生した場合に前記第２変形抑制手段が前記第１変形抑制手段と当接するように、当該第２変形抑制手段を、前記差込部のうち前記差込孔に挿通される挿通部分から上方に向けて張り出すように設けた。
【発明の効果】
【００１１】
請求項１に記載のシャッター収納部の取付構造によれば、突出部又は差込部の少なくともいずれか一方が変形抑制手段を備え、変形抑制手段により、差込状態においてシャッター収納部の周辺で火災が発生した場合に、当該変形抑制手段と突出部又は当該差込部のいずれか他方とが当接することで、壁面側部が建物の壁面側とは反対側に向けて傾斜するように当該差込部が火災の熱によって変形することを抑制可能としたので、差込状態において上記火災が発生した場合に、シャッター収納部が建物の壁面側とは反対側に向けて傾斜することを抑制することが可能となる。よって、例えば、シャッター収納部と建物の壁面との相互間に生じた隙間を介して火炎等が流入又は流出したり、当該隙間の大きさが上記炉内貫通が生じる程度の大きさになることを防止できる。
【００１２】
請求項２に記載のシャッター収納部の取付構造によれば、変形抑制手段を、突出部のうち差込孔よりも当該突出部の先端部側において下方に向けて張り出すように設けたので、差込状態において上記火災が発生した場合に、変形抑制手段が下方に向けて張り出されていない場合に比べて、差込部の変形が比較的小さい段階で差込部を変形抑制手段に当接させることができ、シャッター収納部が建物の壁面側とは反対側に向けて傾斜することを一層抑制することが可能となる。
【００１３】
請求項３に記載のシャッター収納部の取付構造によれば、変形抑制手段の先端部が当該変形抑制手段の基部よりも建物の壁面側に位置するように、当該変形抑制手段を傾斜させたので、差込状態において上記火災が発生した場合に、変形抑制手段を上下方向に沿うように設けた場合に比べて、差込部の変形が小さい段階で差込部を変形抑制手段に当接させることができ、シャッター収納部が建物の壁面側とは反対側に向けて傾斜することをさらに一層抑制することが可能となる。
【００１４】
請求項４に記載のシャッター収納部の取付構造によれば、第１変形抑制手段を、突出部のうち差込孔よりも当該突出部の先端部側に設け、差込状態において火災が発生した場合に第２変形抑制手段が第１変形抑制手段と当接するように、当該第２変形抑制手段を、差込部の挿通部分から上方に向けて張り出すように設けたので、差込状態において上記火災が発生した場合に、第２変形抑制手段が差込部の挿通部分から上方に向けて張り出されていない場合に比べて、差込部の変形が比較的小さい段階で第２変形抑制手段を第１変形抑制手段と当接させることができ、シャッター収納部が建物の壁面側とは反対側に傾くことを一層抑制することが可能となる。
【図面の簡単な説明】
【００１５】
【図１】本発明の実施の形態１に係るシャッターを示す図であり、（ａ）は正面図、（ｂ）は右側面図である。
【図２】図１のシャッターのＡ−Ａ矢視断面図である。
【図３】図１のシャッターの所定領域の拡大図であり、（ａ）は図１（ａ）のＢ領域の拡大図、（ｂ）は図１（ａ）のＣ領域の拡大図である（ただし、（ａ）、（ｂ）については、シャッター収納部の前側部、及びシャッター収納部に取り付けられた各種アングルの記載を省略する）。
【図４】引掛部を示す図であり、（ａ）は正面図、（ｂ）は平面図、（ｃ）は右側面図である。
【図５】被引掛部を示す図であり、（ａ）は正面図、（ｂ）は平面図、（ｃ）は右側面図である。
【図６】図２のＤ領域の拡大図である。
【図７】建物の屋外側で火災が発生した場合の変形抑制片の状況を示す図であって、図６に対応する領域を示す図（一部省略）である。
【図８】座板を示す図であり、（ａ）は背面図、（ｂ）は左側面図である。
【図９】抑制部材を示す図であり、（ａ）は斜視図、（ｂ）、（ｃ）は抑制部材の取り付け状況を示す図である。
【図１０】実施の形態２に係る被引掛部を示す図であり、（ａ）は正面図、（ｂ）は平面図、（ｃ）は右側面図である。
【図１１】実施の形態２に係るシャッター収納部の取付構造を示す図であり、図６に対応する領域を示す図（一部省略）である。
【図１２】実施の形態３に係る被引掛部を示す図であり、（ａ）は正面図、（ｂ）は平面図、（ｃ）は右側面図である。
【図１３】実施の形態３に係る引掛部を示す図であり、（ａ）は正面図、（ｂ）は平面図、（ｃ）は右側面図である。
【図１４】実施の形態３に係るシャッター収納部の取付構造を示す図であり、図６に対応する領域を示す図（一部省略）である。
【図１５】実施の形態３に係るシャッター収納部の取付構造の変形例を示す斜視図である。
【図１６】実施の形態３に係るシャッター収納部の取付構造の他の変形例を示す斜視図である。
【発明を実施するための形態】
【００１６】
以下に添付図面を参照して、この発明に係るシャッター収納部の取付構造の実施の形態を詳細に説明する。まず、〔I〕実施の形態の基本的概念について説明した後、〔II〕実施の形態の具体的内容について説明し、最後に、〔III〕実施の形態に対する変形例について説明する。ただし、実施の形態によって本発明が限定されるものではない。
【００１７】
〔I〕実施の形態の基本的概念
まず、実施の形態の基本的概念について説明する。実施の形態は、概略的に、シャッターカーテンを収納するシャッター収納部を建物の壁面に対して取り付けるための取付構造に関するものである。
【００１８】
ここで、「建物」とは、その具体的な構造や種類は任意であるが、例えば、戸建て住宅、アパートやマンションの如き集合住宅、オフィスビル、商業施設、及び公共施設等を含む概念である。また、「シャッター」とは、防犯や防火のために、建物の開口部に取り付けられる巻上げ戸であり、例えば、窓シャッター、軽量シャッター、重量シャッター等を含む概念である。また、シャッターの開閉方向については、例えば上下方向等が該当する。また、シャッターの駆動方式は任意であり、例えば、「電動式のシャッター」や「手動式のシャッター」として構成することができる。以下、実施の形態では、シャッターが、戸建て住宅の如き建物の壁であって、窓を有する壁に設けられた上下開閉式且つ電動式の窓シャッターである場合について説明する。
【００１９】
〔II〕実施の形態の具体的内容
次に、各実施の形態の具体的内容について説明する。
【００２０】
〔実施の形態１〕
まず、実施の形態１に係るシャッター収納部の取付構造について説明する。この実施の形態１は、後述する変形抑制片を後述する被引掛部の第１突出片に設けた形態である。
【００２１】
（構成）
最初に、実施の形態１に係るシャッター収納部の取付構造が適用されるシャッターの構成について説明する。以下の説明では、図１のＸ方向をシャッターの左右方向（−Ｘ方向をシャッターの左方向、＋Ｘ方向をシャッターの右方向）、図１のＹ方向をシャッターの前後方向（＋Ｙ方向をシャッターの前方向（建物の屋外側の方向）、−Ｙ方向をシャッターの後方向（建物の屋内側の方向））、図１のＺ方向をシャッターの上下方向（＋Ｚ方向をシャッターの上方向、−Ｚ方向をシャッターの下方向）と称する。
【００２２】
図１、図２に示すように、このシャッター１は、概略的に、枠体１０、シャッター収納部２０、シャッターカーテン３０、開閉機４０、及び巻取り軸４１を備えて構成されている。ただし、シャッター１に関する特記しない構成については、従来と同様であるものとして説明を省略する。このシャッター１は、上述のように窓シャッターであって、図１に示すように、建物の躯体２（例えば、壁等）に形成された開口部３には窓４が設けられており、この開閉式の窓４の屋外側にシャッターカーテン３０が設けられている。このため、シャッターカーテン３０は、開口部３を、当該開口部３の開口面内ではなく当該開口部３の開口面よりも屋外側において開閉することになるが、このような開閉であっても、開口部３を介した人や物の出入りを制限するための開閉を行う点において同様であるため、「開口部３を開閉する」ものとして説明する。ただし、窓４には公知の開閉式のサッシ窓等を採用することができるので、その説明は省略する。なお、後述するシャッター１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）によって取り付ける（又は接続する）方法が採用されている。ただし、これに限られず、例えば、取付相手側の部材の一部をかしめることにより、取付側の部材を取付相手側の部材に対して取り付ける（又は接続する）方法が採用されてもよい。
【００２３】
（構成−枠体）
枠体１０は、建物の躯体２に形成された開口部３に設けられるものである。この枠体１０は、複数の枠材を相互に組み合わせることによって構成されている。具体的には、複数の枠材は、左縦枠１１、右縦枠１２、及び水切り板１３から構成されている。そして、これら左縦枠１１、右縦枠１２、及び水切り板１３は、それぞれ開口部３の周縁における建物の躯体２の外面に公知の方法で直接的に固定されている。
【００２４】
また、図１、図２に示すように、左縦枠１１と右縦枠１２の各々には、ガイドレール１５が設けられている。ガイドレール１５は、シャッターカーテン３０を開口部３の開閉方向（すなわち、上下方向）に沿って移動するように案内するものである。このガイドレール１５は、横断面形状が略コ字状となるように形成された長尺体であり、左縦枠１１、右縦枠１２の前面（すなわち、建物の躯体２外面）において、当該ガイドレール１５の上下方向（長手方向）が左縦枠１１と右縦枠１２の各々の上下方向（長手方向）に略沿う方向で配置され、左縦枠１１、右縦枠１２に対して固定具等によって固定されている。
【００２５】
（構成−シャッター収納部）
シャッター収納部２０は、シャッター１の各部を収納するための中空体であり、建物における開口部３の上端近傍位置に取り付けられている。このシャッター収納部２０の内部には、開閉機４０と、巻き取り軸４１とが収納されている。また、巻き取り軸４１にてシャッターカーテン３０が巻き取られた状態では、シャッターカーテン３０の少なくとも一部も、シャッター収納部２０の内部に収納される（なお、図２では、開口部３を全開した状態において、巻き取り軸４１によって巻装されたシャッターカーテン３０の外縁を２点鎖線で示す）。このシャッター収納部２０は、例えば、折り曲げ成形された複数のスチール製の板状体を固定具によって相互に接続して形成されており、建物の壁面に対して後述する引掛部５０及び後述する被引掛部６０を用いて取り付けられている。
【００２６】
（構成−シャッターカーテン）
シャッターカーテン３０は、巻き取り軸４１によって巻き取り又は巻き出しされることで、開口部３を全開した状態（以下、「開口部全開状態」と称する）、開口部３を全閉した状態（以下、「開口部全閉状態」と称する）、あるいは半開状態とする遮蔽手段である。図２に示すように、このシャッターカーテン３０は、複数のスラット３０ａを備えて構成されており、各スラット３０ａの上下の両端部には嵌合部３０ｂが設けられている。この嵌合部３０ｂは、複数のスラット３０ａを相互に嵌合接続するために各スラット３０ａの上下の両端部に設けられたもので、当該両端部を屈曲させることによって形成されている。また、このシャッターカーテン３０の左右方向（長手方向）の両端部の各々は、ガイドレール１５のコ字状の開放端部を介して当該ガイドレール１５の内部に挿入されており、上下方向においてはガイドレール１５の内部をスライド移動可能であり、かつ、前後方向においてはガイドレール１５の外部に脱落しないように規制されている。また、図２に示すように、シャッターカーテン３０の下端部には、座板３１が設けられている。この座板３１は、開口部全閉状態において枠体１０の水切り板１３と近接し、又は接触するように配置されたものであり、シャッターカーテン３０の下端部の左右方向の略全長にわたって形成されている。また、座板３１の上端部には嵌合部３２が設けられており、この嵌合部３２をシャッターカーテン３０の最下方のスラット３０ａにおける下端部の嵌合部３０ｂに嵌合させることで、座板３１がシャッターカーテン３０に取付けられている。
【００２７】
（構成−開閉機）
開閉機４０は、巻き取り軸４１を回転駆動することによって電動でシャッターカーテン３０を昇降させる昇降手段であり、操作スイッチ若しくはリモコン（図示せず）を介して操作される。
【００２８】
（構成−巻き取り軸）
巻き取り軸４１は、シャッターカーテン３０を巻き取り又は巻き出すことにより、シャッターカーテン３０を昇降させる昇降手段である。この巻き取り軸４１は、シャッター収納部２０の左右方向（長手方向）に沿って配置されており、この巻き取り軸４１にはシャッターカーテン３０の上端に連結された連結スラット（図示省略）が接続されていて、この巻き取り軸４１を回転させることで、連結スラットを介してシャッターカーテン３０を巻き取り又は巻き出すことができる。ただし、この巻き取り軸４１は、例えば公知の巻き取り軸等によって構成することができるので、その詳細な説明は省略する。
【００２９】
（構成−シャッター収納部の取付構造）
次に、シャッター収納部２０の取付構造について説明する。実施の形態１に係るシャッター１は、シャッター収納部２０を建物の壁面に対して取り付けるための取付構造を備えている。また、図４から図６に示すように、この取付構造は、引掛部５０と、被引掛部６０とを備えている。ただし、引掛部５０及び被引掛部６０は、特記する場合を除いて、任意の形状、方法、及び材質で製造することができる。ここで、この取付構造によるシャッター収納部２０の取付方法を、以下説明する。具体的には、シャッター収納部２０の側部のうち、左右の各側部には、建物の壁面側に位置する側部であって、左右の各側部から左右方向の内側に向けて張り出されるように形成された略矩形板状の側部（以下、「壁面側部２１」と称する）が設けられている。そして、この壁面側部２１の上端部及び下端部が、引掛部５０及び被引掛部６０を介して取り付けられている。より具体的には、図３（ａ）、（ｂ）に示すように、壁面側部２１の上端部が、後述する被引掛部６０の被引掛本体片６１を介して後述する引掛部５０の差込片５２に引掛けられ、且つ、壁面側部２１に設けられた略板状の張出片２２が後述する引掛部５０の支持片５３に載置されることにより、シャッター収納部２０が建物の壁面に対して取り付けられている。なお、この壁面側部２１は、任意の方法で製造することができ、例えば、シャッター収納部２０における左右の各側部の一部をそれぞれ折り曲げ形成することにより、左右の各側部と一体に形成することができる。また、上記左右の各側部に設けられた壁面側部２１の具体的な形状や設置位置については任意であるが、実施の形態１においては、シャッター収納部２０の左右方向の中心を通る上下方向に沿った中心軸に対して相互に左右対称となる形状及び設置位置に設定されている。
【００３０】
（構成−シャッター収納部の取付構造−引掛部）
引掛部５０は、被引掛部６０を引掛けるための引掛手段である。図４、図６に示すように、この引掛部５０は、建物の壁面のうちシャッター収納部２０の各壁面側部２１と対応する部分にそれぞれ設けられており、引掛本体片５１、差込片５２（差込部）、及び支持片５３を備えている。
【００３１】
引掛本体片５１は、引掛部５０の基本構造体である。この引掛本体片５１は、略板状体に形成されており、具体的には、図３、図４に示すように、引掛本体片５１の左右方向の長さ（幅）が壁面側部２１の左右方向の長さ（幅）よりも若干長くなるように形成されていると共に、シャッター収納部２０の上下方向の略全長にわたって形成されている。また、図２、図６に示すように、この引掛本体片５１は、建物の壁面における開口部３よりも上方部分において、この上方部分と壁面側部２１との相互間に挟持されるように設けられており、引掛本体片５１に形成された複数の取付孔５１ａを介して固定具によって建物の壁面に接続されている。
【００３２】
差込片５２は、後述する第１突出片６２の差込孔６４に対して当該差込孔６４の上方から下方に向けて差し込まれることにより、被引掛部６０を引掛部５０に引掛けることを可能にするものである。図４、図６に示すように、この差込片５２は、引掛本体片５１の上端部に設けられており、左右方向に直交する断面の形状がフック状であって、差込片５２の先端部（差込片５２の下端部）が差込片５２の基部（差込片５２の上端部）よりも建物の屋外側に位置する形状に形成された板状体にて形成されている。具体的には、図３、図４に示すように、差込片５２の左右方向の長さ（幅）が引掛本体片５１の左右方向の長さ（幅）よりも短く、差込片５２の上下方向の長さ（高さ）が引掛本体片５１の上下方向の長さ（高さ）よりも短く、且つ、差込片５２の前後方向の長さ（厚さ）が引掛本体片５１の前後方向の長さ（厚さ）と略同一となるように形成されている。
【００３３】
また、差込片５２の具体的な構成については任意であるが、実施の形態１においては、差込片５２を後述する差込孔６４に対して容易に差し込むことができるように形成されている。具体的には、図４、図６に示すように、差込片５２のうち後述する差込孔６４に挿通される部分５２ａ（以下、「挿通部分５２ａ」と称する）の先端部（挿通部分５２ａの下端部）が当該挿通部分５２ａの基部（挿通部分５２ａの上端部）よりも建物の屋外側に位置するように、挿通部分５２ａが屈曲されて形成されている。また、挿通部分５２ａの左右方向の長さ（幅）が、当該挿通部分５２ａの基部（挿通部分５２ａの上端部）から当該挿通部分５２ａの先端部（挿通部分５２ａの上端部）に至るにしたがって短くなるように形成されている。このような構成により、差込片５２を後述する差込孔６４に対して容易に差し込むことができるので、シャッター収納部２０の取り付けを効率良く行うことが可能となる。
【００３４】
支持片５３は、シャッター収納部２０を支持するためのものである。この支持片５３は、略板状体に形成されており、具体的には、図２、図３に示すように、支持片５３の左右方向の長さ（幅）が壁面側部２１の張出片２２の左右方向の長さ（幅）よりも長く、且つ、支持片５３の前後方向の長さ（奥行き）が張出片２２の前後方向の長さ（奥行き）と略同一の長さとなるように形成されている（なお、支持片５３の左右方向の長さ（幅）については、これに限られず、例えば、張出片２２の左右方向の長さ（幅）よりも短く、又は同一となるように形成されてもよい）。また、図２、図３に示すように、この支持片５３は、建物の屋外側に向けて張り出すように設けられており、具体的には、壁面側部２１の張出片２２と対向すると共に、支持片５３の先端部（支持片５３の上端部）が支持片５３の基部（支持片５３の下端部）よりも上方に位置するように傾斜して設けられている（なお、壁面側部２１の張出片２２も、支持片５３と同様に傾斜して設けられている）。これにより、支持片５３が略水平に設けられている場合に比べて、シャッター収納部２０を引掛部５０から脱落させないように安定して支持することが可能となる。また、この支持片５３には取付孔５３ａが形成されており、壁面側部２１の張出片２２に形成された取付孔２３及び取付孔５３ａを介して、張出片２２を支持片５３に対して固定具によって接続することにより、シャッター収納部２０を一層安定して支持することが可能となる。
【００３５】
また、このような構成された引掛部５０は、任意の方法で製造することができ、例えば、鋼製の板状体（具体的には、スチール製の板状体、ステンレス製の板状体等）を折り曲げ成形することによって、引掛本体片５１、差込片５２、及び支持片５３を一体に成形し、この折り曲げ成形の前後のいずれかの時点で、複数の取付孔５１ａと取付孔５３ａとを打ち抜き形成することにより、引掛部５０を製造することができる。
【００３６】
（構成−シャッター収納部の取付構造−被引掛部）
被引掛部６０は、引掛部５０によって引掛けられる被引掛手段である。図５、図６に示すように、この被引掛部６０は、左右方向に直交する断面の形状が略コ字状となる板状体であり、具体的には、シャッター収納部２０の壁面側部２１と対向する被引掛本体片６１と、被引掛本体片６１の上端部から建物の屋外側に向けて突出する第１突出片６２（突出部）と、被引掛本体片６１の下端部から建物の屋外側に向けて突出する第２突出片６３とを有しており、シャッター収納部２０の左右方向（長手方向）の全長にわたって形成されている。また、この被引掛部６０は、壁面側部２１の上端側に設けられており（図６では、壁面側部２１の上端部に設けられており）、具体的には、被引掛本体片６１が壁面側部２１と当接すると共に、第１突出片６２がシャッター収納部２０の上側部と当接するように設けられている。なお、シャッター収納部２０の上側部のうち後述する差込孔６４に対応する部分には切欠部（図示省略）が形成されているので、この切欠部を介して引掛部５０の差込片５２を後述する差込孔６４に差し込むことができる。そして、この被引掛部６０は、被引掛本体片６１に形成された複数の取付孔６１ａ及び壁面側部２１に形成された複数の取付孔（図示省略）を介して壁面側部２１に対して固定具６６によって接続されていると共に、第１突出片６２に形成された複数の取付孔６２ａ及びシャッター収納部２０の上側部に形成された複数の取付孔（図示省略）を介してシャッター収納部２０の上側部に対して固定具６７によって接続されている。
【００３７】
また、この第１突出片６２には、差込孔６４と、変形抑制片６５とが設けられている。
【００３８】
差込孔６４は、引掛部５０の差込片５２が差し込まれる開口である。図５に示すように、この差込孔６４は、第１突出片６２における左端部の近傍部分及び右端部の近傍部分であって、シャッター収納部２０の各壁面側部２１に設けられた引掛部５０の差込片５２に対応する部分にそれぞれ形成されており、具体的には、図３、図５に示すように、差込孔６４の左右方向の長さ（幅）が差込片５２の左右方向の長さ（幅）よりも長くなるように形成されていると共に、第１突出片６２の前後方向の全長にわたって形成されている（なお、差込孔６４の前後方向の長さ（奥行き）については、これに限られず、例えば、第１突出片６２の前後方向の長さ（奥行き）よりも短くなるように形成されてもよい）。このように形成された差込孔６４に差込片５２が差し込まれることにより、シャッター収納部２０の壁面側部２１の上端部を、被引掛本体片６１を介して差込片５２に引掛けることが可能となる。
【００３９】
変形抑制片６５は、引掛部５０の差込片５２の変形を抑制するための変形抑制手段である。ここで、変形抑制片６５が設けられた理由は以下の通りである。すなわち、第１突出片６２の構成として、変形抑制片６５を設けることなく、単に差込孔６４だけを設けることも考えられる。しかしながら、このような場合には、差込片５２が差込孔６４に差し込まれている状態（以下、「差込状態」と称する）においてシャッター収納部２０の周辺で火災が発生した場合に、差込片５２が火災の熱によって変形しやすくなることから、シャッター収納部２０の自重により、差込片５２の先端部が建物の壁面から離れるように差込片５２が変形することに伴って、シャッター収納部２０（特に、壁面側部２１）が建物の壁面側とは反対側（建物の屋外側）に向けて傾斜しやすくなることが想定される。これにより、例えば、シャッター収納部２０と建物の壁面との相互間に生じた隙間を介して火炎等が流入又は流出したり、当該隙間の大きさが上記炉内貫通が生じる程度の大きさになるという可能性があった。そこで、このような問題を解消するために、変形抑制片６５が設けられている。図５、図６に示すように、この変形抑制片６５は、第１突出片６２に設けられており、略板状体にて形成され、第１突出片６２の左右方向の全長にわたって形成されている。
【００４０】
ここで、この変形抑制片６５の設置位置及び形状については、差込状態において上記火災が発生した場合に、変形抑制片６５と差込片５２とが当接することで、壁面側部２１が建物の壁面側とは反対側（建物の屋外側）に向けて傾斜するように差込片５２が上記火災の熱によって変形することを抑制することができる限り、任意に設定することができる。実施の形態１では、変形抑制片６５の設置位置については、変形抑制片６５が、第１突出片６２のうち差込孔６４よりも当該第１突出片６２の先端部側（図６では、第１突出片６２における建物の屋外側の端部）において下方に向けて張り出すように設けられており、具体的には、図６に示すように、変形抑制片６５が上下方向に略沿うように設けられている。この第１突出片６２の前後方向の長さ（奥行き）は、第１突出片６２の製造性を確保しながら、差込片５２の挿通部分５２ａが差込孔６４に差し込み易く、且つ、差込状態において上記火災が発生した場合に差込片５２の変形が比較的小さい段階で挿通部分５２ａを変形抑制片６５に当接させることができるように、可能な限り短い長さに設定されることが望ましい。また、変形抑制片６５の上下方向の長さ（高さ）については、差込状態において上記火災が発生した場合に、差込片５２の変形が比較的小さい段階において、挿通部分５２ａの先端部（挿通部分５２ａの下端部）が変形抑制片６５の先端部（変形抑制片６５の下端部）と当接し、且つ、挿通部分５２ａの基部（挿通部分５２ａの上端部）が被引掛本体片６１と当接することにより、引掛部５０を被引掛部６０に対して強固に引掛けることができるように、可能な限り長い長さに設定されている。具体的には、上記火災の熱による差込片５２の変形を抑制するために必要な当該長さが、差込片５２の形状（例えば、挿通部分５２ａの上下方向の長さ（高さ）及び屈曲角度等）に応じて異なり得ることから、実験結果等に基づいて設定されており、より具体的には、図５から図７に示すように、差込片５２の上下方向の長さ（高さ）よりも短い長さであって、上記火災が発生した場合にのみ、変形抑制片６５が挿通部分５２ａと当接することが可能な長さに設定されている。なお、この変形抑制片６５の上下方向の長さ（高さ）については、これに限られず、差込片５２の上下方向の長さ（高さ）よりも長い長さ、又は略同一の長さに設定されてもよい。この場合には、差込状態において上記火災が発生した場合に、挿通部分５２ａの先端部（挿通部分５２ａの下端部）が変形抑制片６５の先端部（変形抑制片６５の下端部）又は変形抑制片６５における建物の屋内側の側面と当接し、且つ、挿通部分５２ａの基部（挿通部分５２ａの上端部）が被引掛本体片６１と当接することとなる。また、変形抑制片６５の前後方向の長さ（厚さ）については、差込状態において上記火災が発生した場合に、変形抑制片６５と挿通部分５２ａとの当接後に、変形抑制片６５が挿通部分５２ａによって押圧されることに耐え得ることが可能な長さに設定されている。具体的には、この挿通部分５２ａによって押圧されることに耐え得るために必要な当該長さが、変形抑制片６５の材質に応じて異なり得ることから、実験結果等に基づいて設定されており、より具体的には、図５、図６に示すように、第１突出片６２の上下方向の長さ（厚さ）と略同一の長さに設定されている。
【００４１】
また、このように構成された被引掛部６０は、任意の方法で製造することができ、例えば、鋼製の板状体を折り曲げ成形することによって、被引掛本体片６１、第１突出片６２、第２突出片６３、及び変形抑制片６５を一体に成形し、この折り曲げ成形の前後のいずれかの時点で、複数の差込孔６４、複数の取付孔６１ａ、及び複数の取付孔６２ａを打ち抜き形成することにより、被引掛部６０を製造することができる。
【００４２】
以上のような取付構造により、差込状態において上記火災が発生した場合に、変形抑制片６５と差込片５２とが当接することで、壁面側部２１が建物の壁面側とは反対側（建物の屋外側）に向けて傾斜するように、差込片５２が上記火災の熱によって変形することを抑制することができ、シャッター収納部２０が建物の壁面側とは反対側（建物の屋外側）に向けて傾斜することを抑制することが可能となる。また、特に、変形抑制片６５が、第１突出片６２のうち差込孔６４よりも当該第１突出片６２の先端部側において、下方に向けて張り出すように設けられているので、差込状態において上記火災が発生した場合に、変形抑制片６５が下方に向けて張り出されていない場合に比べて、差込片５２の変形が比較的小さい段階で差込片５２を変形抑制片６５に当接させることができ、シャッター収納部２０が建物の壁面側とは反対側（建物の屋外側）に向けて傾斜することを一層抑制することが可能となる。
【００４３】
このように構成されたシャッター収納部２０の取付構造の作用は、以下の通りである。まず、図７に示すように、シャッター収納部２０の周辺のうち建物の屋外側で火災が発生した場合に、当該火災の熱によって引掛部５０が加熱されることで、シャッター収納部２０の自重により、差込片５２の先端部（差込片５２の下端部）が建物の壁面から離れるように差込片５２が変形する。この場合において、この差込片５２の変形に伴って、シャッター収納部２０（特に、壁面側部２１）が建物の壁面側とは反対側（建物の屋外側）に向けて傾斜しようとすると、差込片５２における挿通部分５２ａの先端部（挿通部分５２ａの下端部）が変形抑制片６５の先端部（変形抑制片６５の下端部）又は変形抑制片６５における建物の屋内側の側面と当接し、且つ、この挿通部分５２ａの基部（挿通部分５２ａの上端部）が被引掛本体片６１と当接することにより、差込片５２の変形が抑制される。これにより、シャッター収納部２０が建物の壁面側とは反対側（建物の屋外側）に向けて傾斜することを抑制することができるので、例えば、シャッター収納部２０と建物の壁面との相互間に生じた隙間を介して火炎等が流入又は流出したり、当該隙間の大きさが上記炉内貫通が生じる程度の大きさになることを防止できる。
【００４４】
（構成−座板の構成の詳細）
次に、シャッターカーテン３０の座板３１の構成の詳細について説明する。ただし、座板３１は、特記する場合を除いて、任意の形状、方法、及び材質で製造することができる。実施の形態１においては、図８に示すように、座板３１は、座板本体片７０、取付片７１、７２、及び把持片７３を備えて構成されている。ここで、座板本体片７０は、座板３１の基本構造体であり、シャッターカーテン３０の左右方向の全長にわたって形成されており、上下方向に略沿うように設けられている。取付片７１、７２は、後述する施錠装置８０を挟持することで座板３１に取り付けるためのものであり、座板本体片７０から建物の屋内側（後方）に向けて張り出すようにそれぞれ形成されている。把持片７３は、ユーザが建物の屋内側からシャッターカーテン３０を手動で昇降する際に、シャッターカーテン３０を把持するためのものであり、本体片から建物の屋内側に向けて張り出すように形成されている。
【００４５】
また、この座板３１には、施錠装置８０が設けられている。施錠装置８０は、シャッターカーテン３０を施錠するための施錠手段である。図２、図８に示すように、この施錠装置８０は、取付片７１、７２によって座板３１に対して取り付けられており、中空箱状の筐体に、左右方向に沿って配置された一対のラッチバー８１と、一対のラッチバー８１の各々の左右方向の外端に設けられたラッチ８２と、操作レバー８３とを備えて構成されている。そして、ユーザが操作レバー８３を介して所定操作を行うことにより、ラッチ８２をガイドレール１５の内部のラッチ受け部（図示省略）に係止させることで、シャッターカーテン３０を施錠することができる。
【００４６】
ここで、図８に示すように、取付片７１、７２によって形成される空間（以下、「収容空間」と称する）の前後方向の長さ（奥行き）がラッチ８２の前後方向の長さ（奥行き）よりも長く設定されている場合（又は、収容空間の上下方向の長さ（高さ）がラッチ８２の上下方向の長さ（高さ）よりも長く設定されて場合）には、収容空間とラッチ８２との相互間に隙間が生じることとなる。これにより、施錠装置８０の操作時においてラッチバー８１が左右方向に向けて移動する際には、ラッチバー８１が前後方向（又は上下方向）にばたつきやすくなることから、ラッチバー８１と取付片７１、７２との接触による接触音が生じやすくなる可能性があった。そこで、このような問題を解消するために、実施の形態１においては、ラッチバー８１における移動時のばたつきを抑制するための抑制部材８４が設けられている。図９（ａ）に示すように、この抑制部材８４は、左右方向に直交する断面の形状が略コ字状となる板状体であり、具体的には、取付片７１側に位置する第１抑制片８４ａと、取付片７２側に位置する第２抑制片８４ｂと、第１抑制片８４ａ及び第２抑制片８４ｂとの相互間に位置する第３抑制片８４ｃとを有している。また、これら第１抑制片８４ａ及び第２抑制片８４ｂの各々の先端部には、抑制部材８４が取付片７１、７２から脱落することを防止するための脱落防止部８４ｄが設けられており、この脱落防止部８４ｄが上下方向の外側に向けて張り出すように配置されている。そして、図８、図９（ｂ）、（ｃ）に示すように、施錠装置８０が座板３１に取り付けられている状態において、ラッチバー８１が座板本体片７０に密着するように、第１抑制片８４ａ及び第２抑制片８４ｂの各々の先端部によってラッチバー８１が押圧され、且つ、第１抑制片８４ａ及び第２抑制片８４ｂが取付片７１、７２によって挟み込まれるように、抑制部材８４が座板３１に設置されることで、ラッチバー８１が座板３１に密着した状態を維持できる。このような抑制部材８４により、施錠装置８０の操作時においてラッチバー８１を左右方向に向けて移動させた場合には、ラッチバー８１が前後方向（又は上下方向）にばたつくことを抑制できるので、上記接触音の発生を低減することが可能となる。なお、この抑制部材８４の設置数については任意であるが、例えば、上記接触音の発生を低減しながら、ラッチバー８１の左右方向の移動を妨げることを抑制可能な設置数に設定されることが望ましい。また、このように構成された抑制部材８４は任意の材質で製造することができ、例えば、図９（ｂ）、（ｃ）に示すように、取付片７１、７２間の間隔に応じて第１抑制片８４ａと第２抑制片８４ｂとの相互間の間隔が調整できるように、弾性変形可能な材質（例えば、ゴム等の樹脂材等）で製造することができる。
【００４７】
（効果）
このように実施の形態１によれば、第１突出片６２が変形抑制片６５を備え、変形抑制片６５により、差込状態においてシャッター収納部２０の周辺で火災が発生した場合に、当該変形抑制片６５と差込片５２とが当接することで、壁面側部２１が建物の壁面側とは反対側（建物の屋外側）に向けて傾斜するように当該差込片５２が火災の熱によって変形することを抑制可能としたので、差込状態において上記火災が発生した場合に、シャッター収納部２０が建物の壁面側とは反対側（建物の屋外側）に向けて傾斜することを抑制することが可能となる。よって、例えば、シャッター収納部２０と建物の壁面との相互間に生じた隙間を介して火炎等が流入又は流出したり、当該隙間の大きさが上記炉内貫通が生じる程度の大きさになることを防止できる。
【００４８】
また、変形抑制片６５を、第１突出片６２のうち差込孔６４よりも当該第１突出片６２の先端部側において下方に向けて張り出すように設けたので、差込状態において上記火災が発生した場合に、変形抑制片６５が下方に向けて張り出されていない場合に比べて、差込片５２の変形が比較的小さい段階で差込片５２を変形抑制片６５に当接させることができ、シャッター収納部２０が建物の壁面側とは反対側（建物の屋外側）に向けて傾斜することを一層抑制することが可能となる。
【００４９】
〔実施の形態２〕
次に、実施の形態２に係るシャッター収納部の取付構造について説明する。この実施の形態２は、実施の形態１の変形抑制片の設置方法とは異なる形態であって、変形抑制片を被引掛部の第１突出片に設けた形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００５０】
（構成）
まず、実施の形態２に係るシャッターの構成について説明する。実施の形態２に係るシャッター１については、実施の形態１に係るシャッター１とほぼ同様に構成されている。ただし、シャッター収納部２０の取付構造の構成については、下記に示す工夫が施されている。
【００５１】
（構成−シャッター収納部の取付構造）
次に、シャッター収納部２０の取付構造について説明する。実施の形態２に係るシャッター収納部２０の取付構造は、実施の形態１に係るシャッター収納部２０の取付構造と同様に、引掛部５０と、被引掛部６０とを備えている。ここで、被引掛部６０の変形抑制片６５の設置位置については、実施の形態２においては、実施の形態１に係る変形抑制片６５よりも、引掛部５０の差込片５２の変形が小さい段階で差込片５２を変形抑制片６５に当接させることができるように設定されている。具体的には、図１０、図１１に示すように、変形抑制片６５が、第１突出片６２のうち差込孔６４よりも当該第１突出片６２の先端部側（図１０では、第１突出片６２における建物の屋外側の端部）において、下方に向けて張り出すように設けられ、且つ、変形抑制片６５の先端部（変形抑制片６５の下端部）が当該変形抑制片６５の基部（変形抑制片６５の上端部）よりも建物の壁面側（建物の屋内側）に位置するように、当該変形抑制片６５が傾斜するように設けられている。また、変形抑制片６５の傾斜角度については、上記火災が発生した場合にのみ、変形抑制片６５が差込片５２の挿通部分５２ａと当接することが可能である限り、任意に設定することができる。実施の形態２においては、変形抑制片６５によって差込片５２の差込孔６４への差し込みが阻害されることを回避しながら、差込状態において上記火災が発生した場合に、挿通部分５２ａの先端部（挿通部分５２ａの下端部）又は挿通部分５２ａにおける建物の屋外側の側面が変形抑制片６５の先端部（変形抑制片６５の下端部）と当接し、且つ、挿通部分５２ａの基部（挿通部分５２ａの上端部）が被引掛本体片６１と当接することにより、引掛部５０を被引掛部６０に対して強固に引掛けることができるように、可能な限り急な角度に設定されている。具体的には、上記火災の熱による差込片５２の変形を抑制するために必要な当該傾斜角度が、差込片５２の形状（例えば、挿通部分５２ａの上下方向の長さ（高さ）及び屈曲角度等）に応じて異なり得ることから、実験結果等に基づいて設定されている。また、変形抑制片６５の前後方向の長さについては、変形抑制片６５の先端部（変形抑制片６５の下端部）と被引掛本体片６１との隙間の寸法が、挿通部分５２ａが当該隙間を通ることができる限り、できるだけ小さい寸法となるように設定することが好ましい。
【００５２】
このような取付構造により、差込状態において上記火災が発生した場合に、実施の形態１に係る変形抑制片６５よりも、差込片５２の変形が小さい段階で差込片５２を変形抑制片６５に当接させることができるので、実施の形態１に係る取付構造に比べて、シャッター収納部２０が建物の壁面側とは反対側（建物の屋外側）に向けて傾斜することを一層抑制することが可能となる。
【００５３】
（効果）
このように実施の形態２によれば、変形抑制片６５の先端部が当該変形抑制片６５の基部よりも建物の壁面側に位置するように、当該変形抑制片６５を傾斜させたので、差込状態において上記火災が発生した場合に、変形抑制片６５を上下方向に沿うように設けた場合に比べて、差込片５２の変形が小さい段階で差込片５２を変形抑制片６５に当接させることができ、シャッター収納部２０が建物の壁面側とは反対側（建物の屋外側）に向けて傾斜することをさらに一層抑制することが可能となる。
【００５４】
〔実施の形態３〕
次に、実施の形態３に係るシャッター収納部の取付構造について説明する。この実施の形態３は、変形抑制片を被引掛部の第１突出片及び引掛部の差込片に設けた形態である。ただし、この実施の形態３の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００５５】
（構成）
まず、実施の形態３に係るシャッターの構成について説明する。実施の形態３に係るシャッター１については、実施の形態１に係るシャッター１とほぼ同様に構成されている。ただし、シャッター収納部２０の取付構造の構成については、下記に示す工夫が施されている。
【００５６】
（構成−シャッター収納部の取付構造）
次に、シャッター収納部２０の取付構造について説明する。実施の形態３に係るシャッター収納部２０の取付構造は、実施の形態１に係るシャッター収納部２０の取付構造と同様に、引掛部５０と、被引掛部６０とを備えている。
【００５７】
（構成−シャッター収納部の取付構造−被引掛部）
被引掛部６０は、図１２、図１４に示すように、壁面側部２１の上端側に設けられており（図１４では、壁面側部２１の上端部に設けられており）、被引掛本体片６１、第１突出片６２、及び第２突出片６３を有している。また、この第１突出片６２には、差込孔６４、及び第１変形抑制片１０１が設けられている。
【００５８】
差込孔６４は、第１突出片６２における左端部の近傍部分及び右端部の近傍部分にそれぞれ形成されており、具体的には、図１２に示すように、差込孔６４の左右方向の長さ（幅）が差込片５２の左右方向の長さ（幅）よりも長くなるように形成されていると共に、差込孔６４の前後方向の長さ（奥行き）が第１突出片６２の前後方向の長さ（奥行き）よりも短くなるように形成されている。
【００５９】
第１変形抑制片１０１は、引掛部５０の差込片５２の変形を抑制するための第１変形抑制手段である。図１２に示すように、この第１変形抑制片１０１は、略板状体にて形成されており、第１突出片６２のうち各差込孔６４の近傍部分にそれぞれ設けられている。ここで、第１変形抑制片１０１の設置位置及び形状については、差込状態において上記火災が発生した場合に、第１変形抑制片１０１と後述する第２変形抑制片１０２とが当接することで、壁面側部２１が建物の壁面側とは反対側（建物の屋外側）に向けて傾斜するように、差込片５２が上記火災の熱によって変形することを抑制することができる限り、任意に設定することができる。実施の形態３では、第１変形抑制片１０１の設置位置については、第１突出片６２のうち差込孔６４よりも当該第１突出片６２の先端部側（図１２では、第１突出片６２における建物の屋外側の端部）に設けられており、具体的には、図１２、図１４に示すように、第１変形抑制片１０１が略水平に設けられている。また、第１変形抑制片１０１の左右方向の長さ（幅）及び前後方向の長さ（奥行き）については、差込状態において上記火災が発生した場合に、第１変形抑制片１０１が後述する第２変形抑制片１０２と確実に当接することが可能な長さに設定されている。具体的には、第１変形抑制片１０１と後述する第２変形抑制片１０２とを当接させるために必要な当該長さが、第２変形抑制片１０２の形状に応じて異なり得ることから、実験結果等に基づいて設定されており、より具体的には、図１２に示すように、第１変形抑制片１０１の左右方向の長さ（幅）が差込孔６４の左右方向の長さ（幅）と略同一となり、第１変形抑制片１０１の前後方向の長さ（奥行き）が差込孔６４の前後方向の長さ（奥行き）よりも短くなるように設定されている（なお、第１変形抑制片１０１の前後方向の長さ（奥行き）については、これに限られず、例えば、差込孔６４の前後方向の長さ（奥行き）よりも長く、又は同一となるように設定されてもよい）。また、第１変形抑制片１０１の上下方向の長さ（厚さ）については、差込状態において上記火災が発生した場合に、第１変形抑制片１０１と後述する第２変形抑制片１０２との当接後に、第１変形抑制片１０１が後述する第２変形抑制片１０２によって押圧されることに耐え得ることが可能な長さに設定されている。具体的には、後述する第２変形抑制片１０２によって押圧されることに耐え得るために必要な当該長さが、第１変形抑制片１０１の材質に応じて異なり得ることから、実験結果等に基づいて設定されており、より具体的には、図１２に示すように、第１突出片６２の上下方向の長さ（厚さ）と略同一に設定されている。
【００６０】
また、このように構成された被引掛部６０は、任意の方法で製造することができ、例えば、鋼製の板状体を折り曲げ成形することによって、被引掛本体片６１、第１突出片６２、及び第２突出片６３を一体に成形し、この折り曲げ成形の前後のいずれかの時点で、複数の取付孔６１ａ、及び複数の取付孔６２ａを打ち抜き形成すると共に、複数の差込孔６４を打ち抜き形成することで複数の第１変形抑制片１０１を形成することにより、被引掛部６０を製造することができる。
【００６１】
（構成−シャッター収納部の取付構造−引掛部）
引掛部５０は、図１４に示すように、建物の壁面のうちシャッター収納部２０の各壁面側部２１と対応する部分にそれぞれ設けられており、引掛本体片５１、差込片５２、及び支持片５３を備えている。また、この差込片５２には、第２変形抑制片１０２が設けられている。
【００６２】
第２変形抑制片１０２は、差込片５２の変形を抑制するための第２変形抑制手段である。図１３に示すように、この第２変形抑制片１０２は、略板状体であり、差込片５２における挿通部分５２ａの先端部（図１３では、挿通部分５２ａにおける建物の屋外側の端部）に設けられている。ここで、この第２変形抑制片１０２の設置位置及び形状については、差込状態において上記火災が発生した場合に、第１変形抑制片１０１と第２変形抑制片１０２とが当接することで、壁面側部２１が建物の壁面側とは反対側（建物の屋外側）に向けて傾斜するように差込片５２が上記火災の熱によって変形することを抑制することができる限り、任意に設定することができる。実施の形態３において、第２変形抑制片１０２の設置位置については、第２変形抑制片１０２が、挿通部分５２ａから上方に向けて張り出すように設けられており、具体的には、図１３、図１４に示すように、第２変形抑制片１０２の先端部（第２変形抑制片１０２の上端部）が当該第２変形抑制片１０２の基部（第２変形抑制片１０２の下端部）よりも建物の屋外側に位置するように、当該第２変形抑制片１０２が設けられている。また、第２変形抑制片１０２の前後方向の長さ（奥行き）については、第２変形抑制片１０２によって差込片５２の差込孔６４への差し込みが阻害されることを回避しながら、差込状態において上記火災が発生した場合に、差込片５２の変形が比較的小さい段階において、第２変形抑制片１０２の先端部（第２変形抑制片１０２の上端部）が第１変形抑制片１０１の先端部（第１変形抑制片１０１の下端部）と当接し、且つ、挿通部分５２ａの基部（挿通部分５２ａの上端部）が被引掛本体片６１と当接することにより、引掛部５０を被引掛部６０に対して強固に引掛けることができるように、可能な限り長い長さに設定されている。具体的には、上記火災の熱による差込片５２の変形を抑制するために必要な当該長さが、差込片５２の形状（例えば、挿通部分５２ａの屈曲角度等）に応じて異なり得ることから、実験結果等に基づいて設定されており、より具体的には、図１３、図１４に示すように、差込孔６４の前後方向の長さ（奥行き）よりも短い長さであって、上記火災が発生した場合にのみ、第２変形抑制片１０２が第１変形抑制片１０１と当接することが可能な長さに設定されている。また、第２変形抑制片１０２の上下方向の長さ（厚さ）については、差込状態において上記火災が発生したことで、第２変形抑制片１０２が第１変形抑制片１０１を押圧した際に、第２変形抑制片１０２が変形しにくくなる長さに設定されており、具体的には、図１３に示すように、差込片５２の前後方向の長さ（厚さ）と略同一に設定されている。
【００６３】
また、このような構成された引掛部５０は、任意の方法で製造することができ、例えば、鋼製の板状体（具体的には、スチール製の板状体、ステンレス製の板状体等）を折り曲げ成形することによって、引掛本体片５１、差込片５２、支持片５３、及び第２変形抑制片１０２を一体に成形し、この折り曲げ成形の前後のいずれかの時点で、複数の取付孔５１ａ及び取付孔５３ａを打ち抜き形成することにより、引掛部５０を製造することができる。
【００６４】
このような取付構造により、差込状態において上記火災が発生した場合に、第２変形抑制片１０２が差込片５２の挿通部分５２ａから上方に向けて張り出されていない場合に比べて、差込片５２の変形が比較的小さい段階で第２変形抑制片１０２を第１変形抑制片１０１と当接させることができ、シャッター収納部２０が建物の壁面側とは反対側（建物の屋外側）に傾くことを一層抑制することが可能となる。
【００６５】
（効果）
このように実施の形態３によれば、第１変形抑制片１０１を、第１突出片６２のうち差込孔６４よりも当第１突出片６２の先端部側に設け、差込状態において火災が発生した場合に第２変形抑制片１０２が第１変形抑制片１０１と当接するように、当該第２変形抑制片１０２を、差込片５２の挿通部分５２ａから上方に向けて張り出すように設けたので、差込状態において上記火災が発生した場合に、第２変形抑制片１０２が差込片５２の挿通部分５２ａから上方に向けて張り出されていない場合に比べて、差込片５２の変形が比較的小さい段階で第２変形抑制片１０２を第１変形抑制片１０１と当接させることができ、シャッター収納部２０が建物の壁面側とは反対側（建物の屋外側）に傾くことを一層抑制することが可能となる。
【００６６】
〔III〕実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００６７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係るシャッター収納部２０の周辺で火災が発生した場合に、シャッター収納部２０が建物の壁面側とは反対側（建物の屋外側）に向けて傾斜したとしても、シャッター収納部２０と建物の壁面との相互間に生じた隙間を介して火炎等が流入又は流出することを防止できたり、又は、当該隙間の大きさが、上記炉内貫通が生じる程度の大きさになることを防止できる場合には、本願の課題は解決している。
【００６８】
（引掛部について）
上記実施の形態１から３では、建物の壁面のうちシャッター収納部２０における左側の壁面側部２１及び右側の壁面側部２１と対応する部分に、引掛部５０をそれぞれ設けると説明したが、これに限られず、任意の位置に設けてもよい。例えば、シャッター収納部２０の左右方向の長さ（幅）が比較的長い場合（例えば、シャッター収納部２０の左右方向の長さが２０００ｍｍ以上となる場合等）には、建物の壁面のうちシャッター収納部２０の左右方向中央に対応する部分に、引掛部５０をさらに設けてもよい。この場合において、実施の形態１、２では、被引掛部６０における第１突出片６２の左右方向の中央部に、差込孔６４がさらに設けられる。また、実施の形態３では、被引掛部６０における第１突出片６２の左右方向の中央部に、差込孔６４及び第１変形抑制片１０１がさらに設けられる。
【００６９】
（被引掛部について）
上記実施の形態１、２では、被引掛部６０が、壁面側部２１の上端部に設けられていると説明したが、これに限られない。例えば、被引掛部６０の設置スペースに制約がある場合には、被引掛部６０は、壁面側部２１のうち上端部よりも下方に位置する部分に設けられてもよい。
【００７０】
（変形抑制片について）
上記実施の形態１、２では、変形抑制片６５が板状体にて形成されていると説明したが、これに限られず、例えば、柱状体、棒状体等にて形成されてもよい（なお、実施の形態３に係る第１変形抑制片１０１及び第２変形抑制片１０２についても同様とする）。
【００７１】
また、上記実施の形態１、２では、変形抑制片６５が、第１突出片６２における建物の屋外側の端部に設けられていると説明したが、これに限られず、第１突出片６２のうち差込孔６４よりも当該第１突出片６２の先端部側（第１突出片６２における建物の屋外側の端部側）の部分であれば、どの部分に設けられてもよい。例えば、差込状態において上記火災が発生した場合に、差込片５２の変形が比較的小さい段階で差込片５２の挿通部分５２ａを変形抑制片６５に当接させることができるように、変形抑制片６５は、第１突出片６２のうち建物の屋外側の端部よりも若干建物の屋内側に位置する部分に設けられてもよい。
【００７２】
また、上記実施の形態３では、第１変形抑制片１０１が略水平に設けられていると説明したが、これに限られない。例えば、差込状態において上記火災が発生した場合に、差込片５２の変形が比較的小さい段階において、第２変形抑制片１０２の先端部（第２変形抑制片１０２の上端部）が第１変形抑制片１０１と当接できるように、第１変形抑制片１０１が、第１突出片６２のうち差込孔６４よりも当該第１突出片６２の先端部側から下方に向けて張り出すように設けられてもよく、具体的には、第１変形抑制片１０１が上下方向に略沿うように設けられたり、又は、第１変形抑制片１０１の先端部（第１変形抑制片１０１の下端部）が当該第１変形抑制片１０１の基部（第１変形抑制片１０１の上端部）よりも建物の壁面側（建物の屋内側）に位置するように、当該第１変形抑制片１０１が傾斜するように設けられてもよい。また、上記実施の形態３では、差込片５２に第２変形抑制片１０２を設けると説明したが、これに限られない。例えば、図１５に示すように、差込状態において上記火災が発生した場合に、差込片５２の変形が比較的小さい段階において、差込片５２の先端部（差込片５２の上端部）が第１変形抑制片１０１と当接し、且つ、差込片５２の挿通部分５２ａの基部（挿通部分５２ａの上端部）が被引掛本体片６１と当接することにより、引掛部５０を被引掛部６０に対して強固に引掛けることができる場合には、第２変形抑制片１０２を省略してもよい。
【００７３】
また、上記実施の形態３では、差込片５２における挿通部分５２ａの先端部に第２変形抑制片１０２を設けていると説明したが、これに限られない。例えば、引掛部５０の製造上の制約により、第２変形抑制片１０２を挿通部分５２ａの先端部に設けることができない場合には、第２変形抑制片１０２を挿通部分５２ａの左端部及び右端部に設けてもよく、具体的には、図１６に示すように、引掛部５０の差込片５２の左右両端部の各々から左右方向の外側に向けて張り出すように設けてもよい。この場合において、第２変形抑制片１０２の形成方法については任意であるが、例えば、差込片５２と一体に形成されてもよい。また、被引掛部６０における第１突出片６２の差込孔６４は、具体的には、差込片５２を当該差込孔６４に差し込むことができると共に、差込状態において上記火災が発生した場合に、各第２変形抑制片１０２が対応する第１変形抑制片１０１と当接することが可能な形状に形成される。例えば、図１６に示すように、差込孔６４における建物の屋外側の部分の左右方向の長さ（幅）が、差込片５２の左右方向の長さ（幅）及び２つの第２変形抑制片１０２の左右方向の長さ（幅）の合計長さよりも短く、差込孔６４における建物の屋内側の部分の左右方向の長さ（幅）が上記合計長さよりも長くなるように、略凸状に形成されてもよい。あるいは、これに限られず、例えば、図１６に示す被引掛部６０において、２つの第１変形抑制片１０１同士が左右方向に略沿って連接されたものが用いられてもよい。この場合において、差込孔６４の左右方向の長さ（幅）については、図１６に示したものと同様に、差込片５２を当該差込孔６４に差し込むことができるように、上記合計長さよりも長くなる形状にて形成される。このような構成により、差込状態において上記火災が発生した場合に、第２変形抑制片１０２が第１変形抑制片１０１と当接させるだけでなく、挿通部分５２ａが第１変形抑制片１０１と当接させることが可能となる。
【００７４】
（付記）
付記１のシャッター収納部の取付構造は、シャッターカーテンを収容するシャッター収納部を建物の壁面に対して取り付けるための取付構造であって、前記シャッター収納部の側部のうち、前記建物の壁面側に位置する壁面側部の上端側に設けられた被引掛手段と、前記建物の壁面に設けられた引掛手段であって、前記被引掛手段を引掛けるための引掛手段と、を備え、前記被引掛手段は、前記建物の壁面側とは反対側に向けて突出する突出部を備え、前記引掛手段は、前記突出部に形成された差込孔に対して当該差込孔の上方から下方に向けて差し込まれることにより、前記被引掛手段を当該引掛手段に引掛けることが可能な差込部を備え、前記突出部又は前記差込部の少なくともいずれか一方は、前記差込部の変形を抑制するための変形抑制手段を備え、前記変形抑制手段により、前記差込部が前記差込孔に差し込まれている差込状態において前記シャッター収納部の周辺で火災が発生した場合に、当該変形抑制手段と前記突出部又は当該差込部のいずれか他方とが当接することで、前記壁面側部が前記建物の壁面側とは反対側に向けて傾斜するように当該差込部が前記火災の熱によって変形することを抑制可能とした。
【００７５】
付記２のシャッター収納部の取付構造は、付記１に記載のシャッター収納部の取付構造において、前記変形抑制手段を、前記突出部のうち前記差込孔よりも当該突出部の先端部側において下方に向けて張り出すように設けた。
【００７６】
付記３のシャッター収納部の取付構造は、付記２に記載のシャッター収納部の取付構造において、前記変形抑制手段の先端部が当該変形抑制手段の基部よりも前記建物の壁面側に位置するように、当該変形抑制手段を傾斜させた。
【００７７】
付記４のシャッター収納部の取付構造は、付記１に記載のシャッター収納部の取付構造において、前記変形抑制手段は、前記突出部に設けられた第１変形抑制手段と、前記差込部に設けられた第２変形抑制手段と、を備え、前記第１変形抑制手段を、前記突出部のうち前記差込孔よりも当該突出部の先端部側に設け、前記差込状態において前記火災が発生した場合に前記第２変形抑制手段が前記第１変形抑制手段と当接するように、当該第２変形抑制手段を、前記差込部のうち前記差込孔に挿通される挿通部分から上方に向けて張り出すように設けた。
【００７８】
（付記の効果）
付記１に記載のシャッター収納部の取付構造によれば、突出部又は差込部の少なくともいずれか一方が変形抑制手段を備え、変形抑制手段により、差込状態においてシャッター収納部の周辺で火災が発生した場合に、当該変形抑制手段と突出部又は当該差込部のいずれか他方とが当接することで、壁面側部が建物の壁面側とは反対側に向けて傾斜するように当該差込部が火災の熱によって変形することを抑制可能としたので、差込状態において上記火災が発生した場合に、シャッター収納部が建物の壁面側とは反対側に向けて傾斜することを抑制することが可能となる。よって、例えば、シャッター収納部と建物の壁面との相互間に生じた隙間を介して火炎等が流入又は流出したり、当該隙間の大きさが上記炉内貫通が生じる程度の大きさになることを防止できる。
【００７９】
付記２に記載のシャッター収納部の取付構造によれば、変形抑制手段を、突出部のうち差込孔よりも当該突出部の先端部側において下方に向けて張り出すように設けたので、差込状態において上記火災が発生した場合に、変形抑制手段が下方に向けて張り出されていない場合に比べて、差込部の変形が比較的小さい段階で差込部を変形抑制手段に当接させることができ、シャッター収納部が建物の壁面側とは反対側に向けて傾斜することを一層抑制することが可能となる。
【００８０】
付記３に記載のシャッター収納部の取付構造によれば、変形抑制手段の先端部が当該変形抑制手段の基部よりも建物の壁面側に位置するように、当該変形抑制手段を傾斜させたので、差込状態において上記火災が発生した場合に、変形抑制手段を上下方向に沿うように設けた場合に比べて、差込部の変形が小さい段階で差込部を変形抑制手段に当接させることができ、シャッター収納部が建物の壁面側とは反対側に向けて傾斜することをさらに一層抑制することが可能となる。
【００８１】
付記４に記載のシャッター収納部の取付構造によれば、第１変形抑制手段を、突出部のうち差込孔よりも当該突出部の先端部側に設け、差込状態において火災が発生した場合に第２変形抑制手段が第１変形抑制手段と当接するように、当該第２変形抑制手段を、差込部の挿通部分から上方に向けて張り出すように設けたので、差込状態において上記火災が発生した場合に、第２変形抑制手段が差込部の挿通部分から上方に向けて張り出されていない場合に比べて、差込部の変形が比較的小さい段階で第２変形抑制手段を第１変形抑制手段と当接させることができ、シャッター収納部が建物の壁面側とは反対側に傾くことを一層抑制することが可能となる。
【符号の説明】
【００８２】
１  シャッター
２  躯体
３  開口部
４  窓
１０  枠体
１１  左縦枠
１２  右縦枠
１３  水切り板
１５  ガイドレール
２０  シャッター収納部
２１  壁面側部
２２  張出片
２３  取付孔
３０  シャッターカーテン
３０ａ  スラット
３０ｂ  嵌合部
３１  座板
３２  嵌合部
４０  開閉機
４１  巻き取り軸
５０  引掛部
５１  引掛本体片
５１ａ  取付孔
５２  差込片
５２ａ  挿通部分
５３  支持片
５３ａ  取付孔
６０  被引掛部
６１  被引掛本体片
６１ａ  取付孔
６２  第１突出片
６２ａ  取付孔
６３  第２突出片
６４  差込孔
６５  変形抑制片
６６  固定具
６７  固定具
７０  座板本体片
７１、７２  取付片
７３  把持片
８０  施錠装置
８１  ラッチバー
８２  ラッチ
８３  操作レバー
８４  抑制部材
８４ａ  第１抑制片
８４ｂ  第２抑制片
８４ｃ  第３抑制片
８４ｄ  脱落防止部
１０１  第１変形抑制片
１０２  第２変形抑制片
【図１】
0006498068.tif 000002
【図２】
0006498068.tif 000003
【図３】
0006498068.tif 000004
【図４】
0006498068.tif 000005
【図５】
0006498068.tif 000006
【図６】
0006498068.tif 000007
【図７】
0006498068.tif 000008
【図８】
0006498068.tif 000009
【図９】
0006498068.tif 000010
【図１０】
0006498068.tif 000011
【図１１】
0006498068.tif 000012
【図１２】
0006498068.tif 000013
【図１３】
0006498068.tif 000014
【図１４】
0006498068.tif 000015
【図１５】
0006498068.tif 000016
【図１６】
0006498068.tif 000017